(57)【要約】【課題】ゴルフの正しいグリップに慣れ、正しいスイングを身に付けるための練習具であって、グリップを違和感なく行うことができるようにすると共に、正しいスイングの練習にもなるゴルフ練習具を提供する。【解決手段】ゴルフ練習具１０において、内部に第１の錘１５を有する弾性のあるグリップ部１１と、グリップ部１１の先端に連結された第２の錘１２とを備え、第２の錘１２は、第１の錘１５よりも重い構成とする。【選択図】図２
2012170493.tif 000002
【特許請求の範囲】
【請求項１】
内部に第１の錘を有する弾性のあるグリップ部と、
前記グリップ部の先端に連結された第２の錘と
を備え、前記第２の錘は、前記第１の錘よりも重いことを特徴とするゴルフ練習具。
【請求項２】
前記第２の錘の長さは、前記グリップ部の長さよりも短いことを特徴とする請求項１に記載のゴルフ練習具。
【請求項３】
前記グリップ部には、前記第２の錘と連続する剛性部が延出されていることを特徴とする請求項１又は請求項２に記載のゴルフ練習具。
【請求項４】
前記第１の錘は、前記グリップ部の内径よりも大きな径で構成された複数の球体であり、
前記第１の錘が前記グリップ部の内部に圧入されていることを特徴とする請求項１乃至請求項３のいずれかに記載のゴルフ練習具。
【請求項５】
前記グリップ部は、有底筒形状でなり、
前記第２の錘は、
前記グリップ部の内部に挿入される柱状の剛性部材と、
前記剛性部材の先端部に被せられる筒状部材と、を有し、
前記剛性部材の外周面と、前記筒状部材の内周面との間に前記グリップ部の側壁部を挟み込むことを特徴とする請求項１、請求項２又は請求項４のいずれかに記載のゴルフ練習具。
【発明の詳細な説明】
【技術分野】
【０００１】
本発明は、ゴルフの正しいグリップに慣れ、正しいスイングを身に付けるための練習具であって、グリップを違和感なく行うことができるようにすると共に、正しいスイングの練習にもなるゴルフ練習具に関する。
【背景技術】
【０００２】
従来、ゴルフのスイングを練習するための練習具として、種々のものが考えられている。例えば、短縮したゴルフクラブの中空のシャフトの中に鉛等の金属又は砂等のウエイト付加体を封入すると共に、ヘッドを中空とし、同様の付加体を封入するもの（特許文献１参照）、ゴルフクラブのシャフトを３５ｃｍ位に短縮し、シャフトの先端に直径が約１０ｃｍ、重さが約５００ｇの錘を設けたもの（特許文献２参照）、中空筒の内部に、錘を付けたバネを取り付け、中空筒の一端にグリップ部を設けたもの（特許文献３参照）、合成ゴムを用いて、ヘッド部からグリップ部までを一体成型し、シャフト部内の根元部からグリップ部内の端部に、金属管を埋設したもの（特許文献４参照）、グリップ部、連結手段及び透明容器で構成され、透明容器内に水が収容されるもの（特許文献５参照）、保水材を収容する水溜部を有するパイプ状シャフトと、その他端部側面にグリップ部を設けたもの（特許文献６参照）、一方に両手で把持可能な握り部を設けると共に他方には金属バットの打球部状に形成された握り部より太く伸延されたヘッド部を有し、ヘッド部には、当該ヘッド部の伸延方向に移動自在に金属粒錘が封入され、また、プレーヤ自身がその封入重量を自在に調整可能なもの（特許文献６参照）、シャフトの先端に設けられた略円柱状の錘と、グリップ部とを備え、シャフトの長さが約０．４〜０．７ｍであり、シャフトの重さが約０．６〜１ｋｇであるもの（特許文献７参照）、等が提案されている。
【先行技術文献】
【特許文献】
【０００３】
【特許文献１】実開平５−７２７５号公報
【特許文献２】実開平６−４１７６２号公報
【特許文献３】特開平７−１７１２３６号公報
【特許文献４】実用新案登録第３０２８５７４号公報
【特許文献５】実用新案登録第３０７８４７８号公報
【特許文献６】特開２００４−１３６０５５号公報
【特許文献７】実用新案登録第３１５５７５８号公報
【特許文献８】実用新案登録第３１５７０６３号公報
【発明の概要】
【発明が解決しようとする課題】
【０００４】
ところで、ゴルフのスイングを練習するためのゴルフ練習具は、その全長をできるだけ短くすることで、狭い場所でも練習を行うことができる。この点に関して、例えば、グリップ部の先端部に直接錘を設けた構成のゴルフ練習具においては、全長を短くして狭い場所での練習に対応させることができると考えられる。
【０００５】
しかしながら、シャフトを組み込んだグリップ部の先端部に直接錘を設けたゴルフ練習具では、実際のゴルフクラブをスイングした際にシャフトがしなることにより生じる感覚をプレーヤに体感させることが困難であり、このようなゴルフ練習具では、実際のゴルフクラブをスイングした際のフィーリングに近づけることが困難になる問題があった。
【０００６】
そこで、本発明は、ゴルフの正しいグリップに慣れ、正しいスイングを身に付けるための練習具であって、グリップを違和感なく行うことができるようにすると共に、正しいスイングの練習にもなるゴルフ練習具を提供することを目的とする。
【課題を解決するための手段】
【０００７】
本発明の実施の形態に係る特徴は、ゴルフ練習具において、内部に第１の錘を有する弾性のあるグリップ部と、前記グリップ部の先端に連結された第２の錘とを備え、前記第２の錘は、前記第１の錘よりも重いことである。
【０００８】
この構成においては、グリップ部の先端部に第２の錘を設けることによりゴルフ練習具全体の長さを短くし、これにより、比較的狭い場所でもゴルフスイングの練習を行うことができる。また、グリップ部に弾性を持たせることにより、スイング時のしなり感をプレーヤに体感させることができ、これにより、実際のゴルフクラブをスイングした際のフィーリングに近づけることができる。さらに、グリップ部の先端に設けられる第２の錘に加えて、グリップ部の内部にも第１の錘を設け、第２の錘を第１の錘よりも重くすることにより、グリップ部を握ってスイングした際の感覚を、実際のゴルフクラブに近づけることができる。
【０００９】
また、本実施の形態に係る特徴は、上記構成において、前記第２の錘の長さは、前記グリップ部の長さよりも短いことである。
【００１０】
この構成においては、第２の錘の長さをグリップ部の長さよりも短くすることにより、ゴルフ練習具全体の長さを、実際のゴルフクラブの長さよりも格段に短くすることができる。
【００１１】
また、本実施の形態に係る特徴は、上記構成において、前記グリップ部には、前記第２の錘と連続する剛性部が延出されていることである。
【００１２】
この構成においては、グリップ部に剛性部が延出されていることにより、プレーヤに対して、実際のゴルフクラブに近いしなり感を体感させることができ、実際のゴルフクラブをスイングした際のフィーリングに近づけることができる。
【００１３】
また、本実施の形態に係る特徴は、上記構成において、前記第１の錘は、前記グリップ部の内径よりも大きな径で構成された複数の球体であり、前記第１の錘が前記グリップ部の内部に圧入されていることである。
【００１４】
この構成においては、第１の錘がグリップ部内に圧入されているため、グリップ部が撓むときに生じる第１の錘とグリップ部内壁面との間の摩擦により、グリップ部に適度なしなり感を持たせることができ、これにより、実際のゴルフクラブをスイングした際のフィーリングに近づけることができる。
【００１５】
また、本実施の形態に係る特徴は、上記構成において、前記グリップ部は、有底筒形状でなり、前記第２の錘は、前記グリップ部の内部に挿入される柱状の剛性部材と、前記剛性部材の先端部に被せられる筒状部材と、を有し、前記剛性部材の外周面と、前記筒状部材の内周面との間に前記グリップ部の側壁部を挟み込むことである。
【００１６】
この構成においては、剛性部材の外周面と、筒状部材の内周面との間にグリップ部の側壁部を挟み込む構成とすることにより、例えば、グリップ部の内周面と剛性部材の外周面との間に粘着層を介在させると共に、グリップ部の外周面と筒状部材の内周面との間に粘着層を介在させることにより、グリップ部に対して第２の錘を強固に固定することが可能となる。
【発明の効果】
【００１７】
本発明によれば、ゴルフの正しいグリップに慣れ、正しいスイングを身に付けるための練習具であって、グリップを違和感なく行うことができるようにすると共に、正しいスイングの練習にもなるゴルフ練習具を提供することができる。
【図面の簡単な説明】
【００１８】
【図１】本実施の形態のゴルフ練習具の外観を示す斜視図である。
【図２】ゴルフ練習具及びそのグリップ部の内部に圧入された錘部材を示す平面図である。
【図３】グリップ部の断面を示す断面図である。
【図４】第２の錘を取り付けるための構成の説明に供する部分的断面図である。
【図５】第２の錘の取付け方法の説明に供する部分的断面図である。
【図６】第２の錘の取付け方法の説明に供する部分的断面図である。
【図７】第２の錘の取付け方法の説明に供する部分的断面図である。
【図８】他の実施の形態を示す部分的断面図である。
【図９】他の実施の形態を示す部分的断面図である。
【発明を実施するための形態】
【００１９】
以下に、本発明に好適な実施形態について図面に基づいて説明する。
【００２０】
（実施の形態）
図１は、本実施の形態に係るゴルフ練習具１０を示す斜視図である。図１に示すように、ゴルフ練習具１０は、グリップ部１１と、グリップ部１１の先端部１１Ａに連結された錘（第２の錘）１２とを有する。
【００２１】
グリップ部１１は、ラバーなど、実際のゴルフクラブで用いられるグリップ部と同様の材質により形成されている。グリップ部１１は、先端部１１Ａから後端部１１Ｂに亘って徐々に外径が大きくなると共に、その先端部１１Ａが開口した有底筒状に形成されており、内部には複数の球形状の錘部材１５Ａ（図２）が先端部１１Ａの開口部から圧入されている。これら複数の錘部材１５Ａによって錘（第１の錘）１５が構成されている。第２の錘１２は、第１の錘１５よりも重くなるように構成されている。
【００２２】
図２は、ゴルフ練習具１０及びそのグリップ部１１の内部に圧入された錘部材１５Ａを示す平面図であり、図３は、グリップ部１１の断面を示す断面図である。図２及び図３に示すように、グリップ部１１は、先端部１１Ａにおいて開口すると共に後端部１１Ｂにおいて閉塞した円柱状の内部空間を有する（図３）。この内部空間には、当該内部空間の径よりも僅かに大きな径でなる球形の錘部材１５Ａが一列に圧入されている。
【００２３】
錘部材１５Ａは、鉄等の金属材料で形成され、グリップ部１１の内部に圧入されることで、グリップが撓むときに生じる錘部材１５Ａとグリップ部１１の内壁面との間の摩擦や、錘部材１５Ａ同士の摩擦により、グリップ部１１に適度なしなり感を持たせるようになっている。
【００２４】
複数の錘部材１５Ａが圧入された内部空間の先端部１１Ａ側には、錘部材１２Ａをグリップ部１１に連結するための連結部材２１が挿入される。連結部材２１は、鉄やステンレス等の金属材料で形成された円柱形状の部材であり、先端部２１Ａには、ねじ孔２２が設けられ、後端部２１Ｂには、錘部材１５Ａに当接する当接面２１Ｃが形成されている。
【００２５】
図４に示すように、グリップ部１１の内部空間に連結部材２１が挿入された状態において、円筒形状の錘部材１２Ａを先端部１１Ａ側から挿入し、ねじ２３を止め具１７を介してねじ孔２２にねじ込むことにより、錘部材１２Ａを連結部材２１にねじ止めすることができる。錘部材１２Ａ及び連結部材２１によって錘（第２の錘）１２が構成される。第２の錘１２の長さは、グリップ部１１の長さよりも短く構成されている。
【００２６】
図２に示すように、止め具１７は、錘部材１２Ａの先端部１２Ａに当接するフランジ部１７Ａと、錘１２の内部へ挿入される凸部１７Ｂとを有し、凸部１７Ｂの中心部には、ねじ２３を挿通させるための貫通孔１７Ｃが形成されている。この貫通孔１７Ｃにねじ２３を通し、連結部材２１のねじ孔２２にねじ込むことにより、錘１２を連結部材２１にねじ止めすることができる。
【００２７】
錘部材１２Ａは、ステンレス等の金属材料で形成され、その円筒形状の内周面によって、グリップ部１１の先端部１１Ａ側の外周面を、先端部１１Ａから所定の範囲に亘って覆うようになっている。
【００２８】
ここで、図５に示すように、グリップ部１１は、先端部１１Ａから後端部１１Ｂ（図２）にかけて、その外径が次第に大きくなるテーパ状に形成されている。なお、図５においては、テーパ形状を分かりやすく説明するために、テーパの角度を実際の角度よりも傾けて示している。
【００２９】
先端部１１Ａにおける外径は、錘部材１２Ａの内径よりも僅かに小さく形成されており、先端部１１Ａから錘部材１２Ａを挿入可能になっている。グリップ部１１の外径は、先端部１１Ａにおいては、錘部材１２Ａの内径よりも小さくなっているものの、先端部１１Ａから錘部材１２Ａの長さよりも短い位置において、錘部材１２Ａの内径よりも大きくなるように形成されている。
【００３０】
これにより、錘部材１２Ａをグリップ部１１の先端部１１Ａから挿入すると、錘部材１２Ａの長さ分だけ当該錘部材１２Ａを挿入する前に、グリップ部１１の外径が錘部材１２Ａの内径よりも大きくなる部分に達する。錘部材１２Ａをそれ以上挿入するためには、ある程度の力が必要になる。この錘部材１２Ａを挿入方向に挿入させる際に加えられる力（グリップ部１１の長手方向に加えられる力）は、グリップ部１１の外周面を、錘部材１２Ａの内周面によって中心方向に押さえ付ける力として作用することになる。グリップ部１１の外周面が、錘部材１２Ａの内周面によって中心方向に押さえ付けられると、グリップ部１１の内周面によって連結部材２１の外周面が中心方向に押さえ付けられることになる。
【００３１】
かくして、錘部材１２Ａの内周面によってグリップ部１１の外周面が中心に向かって押し付けられると、錘部材１２Ａの内周面とグリップ部１１の外周面との間の摩擦、及びグリップ部１１の内周面と連結部材２１の外周面との間の摩擦によって、錘部材１２Ａがグリップ部１１から抜け難くなる。
【００３２】
上述したように、グリップ部１１は、ラバー等の弾性を有する材質で形成されていることにより、錘部材１２Ａを一定範囲まで挿入した状態でさらにねじ２２によって連結部材２１にねじ止めすると、ラバーの弾性により、錘部材１２Ａの内周面がグリップ部１１の外周面を中心方向に押さえ付ける状態（グリップ部１１の内周面が連結部材２１の外周面を中心方向に押さえ付ける状態）が保たれる。すなわち、錘部材１２Ａがグリップ部１１から抜け難い状態が保たれる。このように、本実施の形態においては、グリップ部１１の形状をテーパ状にすると共に、当該グリップ部１１を弾性を有する材質を用いて形成することにより、錘部材１２Ａを連結部材２１にねじ止めした状態において、グリップ部１１が錘部材１２Ａの内周面と連結部材２１の外周面とによって押圧力をもって挟まれた状態とすることができる。これにより、錘部材１２Ａがグリップ部１１から抜け難くすることができる。
【００３３】
因みに、本実施の形態のグリップ部１１の厚みは、実際のゴルフクラブのグリップ部の厚みよりも厚いものとなっている。これにより、強度を増しながら、しなり感をより適正なものとすることができる。
【００３４】
なお、グリップ部１１に連結部材２１及び錘部材１２Ａを取り付ける製造工程については後述する。
【００３５】
次に、錘部材１２Ａのねじ止め方法について説明する。上述したように、グリップ部１１に対して、錘部材１２Ａを一定範囲まで挿入した状態において、錘部材１２Ａを連結部材２１にねじ止めする。この場合、円筒形状の錘部材１２Ａの一方の開口端部１２Ｂ（図４）から、止め具１７を介してねじ２３をねじ孔２２にねじ込むことにより、グリップ部１１の弾性に抗して、錘部材１２Ａをグリップ部１１に挿入することができる。これにより、グリップ部１１の外周面は、錘部材１２Ａの内周面によって強く押し付けられることにより、上述したように、錘部材１２Ａをグリップ部１１に強固に固定することができる。
【００３６】
本実施の形態においては、円筒形状の簡単な形状の錘部材１２Ａを用いることにより、簡単な製造工程により錘部材１２Ａを製造することができる。例えば、止め具１７を錘部材１２Ａと一体化した形状とすると、単に円筒形状の錘部材１２Ａを製造する場合に比べて、複雑な切削工程等が必要となる。これに対して、円筒形状の錘部材１２Ａでは、そのような工程が不要となる。
【００３７】
次に、グリップ部１１に錘部材１２Ａを取り付ける製造工程について説明する。図６に示すように、まず、グリップ部１１の内部空間に連結部材２１を挿入する。この際、連結部材２１の外周面に、両面テープ３１を貼付すると共に、これに溶剤を塗布する。この状態で、連結部材２１をグリップ部１１の内部空間へ挿入する。溶剤が塗布された両面テープ３１は、溶剤によって溶けた状態となっていることにより、比較的スムーズに連結部材２１を挿入することができる。
【００３８】
グリップ部１１へ連結部材２１が挿入された状態において、溶剤が塗布された両面テープ３１を乾燥させ、グリップ部１１と連結部材２１とを接着させた後、図７に示すように、グリップ部１１の先端部１１Ａから所定範囲（錘部材１２Ａが取り付けられる範囲）の当該グリップ部１１の外周面に両面テープ３２を貼付すると共に、これに溶剤を塗布する。この状態で、グリップ部１１の先端部１１Ａから、錘部材１２Ａを挿入する。この場合においても、溶剤が塗布された両面テープ３２は、溶剤によって溶けた状態となっていることにより、比較的スムーズに錘部材１２Ａを挿入することができる。
【００３９】
錘部材１２Ａを挿入した状態で、ねじ２３により錘部材１２Ａを連結部材２１に固定する。この状態で、溶剤が塗布された両面テープ３２を乾燥させることにより、グリップ部１１と錘部材１２Ａとを接着させる。
【００４０】
かくして、連結部材２１とグリップ部１１とが接着され、グリップ部１１と錘部材１２Ａが接着される。錘部材１２Ａは、連結部材２１にねじ止めされ、グリップ部１１が、錘部材１２Ａの内周面と連結部材２１の外周面とによって挟まれた状態となる。これらの工程により、グリップ部１１の先端部１１Ａに錘部材１２Ａを取り付けることができる。
【００４１】
以上説明したゴルフ練習具１０においては、グリップ部１１の先端部１１Ａに錘部材１２Ａが取り付けられており、グリップ部１１及び錘部材１２Ａによって全長が決定される。ゴルフ練習具１０は、グリップ部１１の先端部１１Ａに連結部材２１を介して錘部材１２Ａを固定しており、グリップ部１１の先端部１１Ａと錘部材１２Ａとの間には、実際のゴルフクラブのような長いシャフトが設けられていない。これにより、ゴルフ練習具１０の全長は、実際のゴルフクラブの全長よりも格段に短くなっている。
【００４２】
このような短いゴルフ練習具１０にあっては、全長が短い分、実際のゴルフクラブを握ってスイングした際の感覚と比べて異なる感覚となるため、この感覚を実際のゴルフクラブに近づけるために、グリップ部１１の内部に錘部材１５Ａ（第１の錘１５）を設けると共に先端部１１Ａに第２の錘１２を設け、第２の錘１２を第１の錘１５よりも重くしている。第１の錘１５と第２の錘１２とによってゴルフ練習具１０全体として実在感のある十分な重量を持たせることができる。この場合、第２の錘１２だけでなく、グリップ部１１内にも第１の錘１５を設けることでゴルフ練習具１０全体として十分な重量を持たせることにより、第２の錘だけで重量を増加させる場合に比べて、第２の錘１２（錘部材１２Ａ）の外径が大きくなること、及び第２の錘１２（錘部材１２Ａ）の長さが長くなることを抑制することができる。これにより、コンパクトなサイズであって、実在感のある十分な重量を持たせたゴルフ練習具１０を実現することができる。
【００４３】
また、第２の錘１２の長さは、グリップ部１１の長さよりも短く構成されており、これにより、ゴルフ練習具全体の長さを、実際のゴルフクラブの長さよりも格段に短くすることができる。
【００４４】
また、グリップ部１１の内部に球形状の錘部材１５Ａを圧入した構成においては、グリップ部１１が撓んだときでも、球形状の錘部材１５Ａの直径は変化しないため、錘部材１５Ａが圧入されている部分では、グリップ部１１の直径も変化しないことになる。すなわち、スイングによってグリップ部１１が撓んだときに、各錘部材１５Ａは、グリップ部１１が撓んでもその球体の断面形状は変化せず、グリップ部１１の長手方向における錘部材１５Ａ間の部分でのみ撓むことになるため、グリップ部１１の断面形状が変化することを抑制することができる。この点について、球形状の錘部材１５Ａに代えて、例えば円柱形状の錘部材をグリップ部１１内に設けた場合、グリップ部１１を振ったときのしなり感を持たせることが困難になる。また、球形状の錘部材１５Ａに代えて、例えば円筒形状の錘部材を設けた場合、グリップ部１１を振ったときの撓みによって、当該グリップ部１１の断面形状が変化することとなる。これに対して、本実施の形態においては、グリップ部１１にしなり感を持たせながら、断面形状の変化を抑制した、実用に耐え得るゴルフ練習具１０を実現することができる。
【００４５】
また、固い金属材料でなる連結部材２１がグリップ部１１の先端部１１Ａから所定範囲まで延出するようにグリップ部１１の内部に設けられることにより、プレーヤがグリップ部１１を正しくグリップした際に、連結部材２１の一部が利き手の人差し指と親指との間に位置することになる。また、錘部材１２Ａと連結部材２１との間は、ほぼ弾性が無く剛性が保たれた状態で連続している。このように、利き手の人差し指と親指との間に、錘部材１２Ａに対して剛在が保たれた状態で連続した固い連結部材２１が位置することで、グリップ部１１をグリップした際のフィーリングに適度な剛性感を持たせることができ、実際のゴルフクラブをスイングした際のフィーリングに近づけることができる。
【００４６】
かくして、以上の構成においては、実際のゴルフクラブに比べて格段に短いゴルフ練習具１０を用いることで、従来の素振り用練習具においては困難であった狭い場所においても、ゴルフスイングの練習を行うことができると共に、実際のゴルフクラブに近いフィーリングでスイングの練習を行うことができる。
【００４７】
また、短いゴルフ練習具１０により、その携帯性を向上させることができ、これにより、ゴルフスイングの練習を、いつでもどこでも、実際のゴルフクラブに近いフィーリングで行うことができる。これにより、ゴルフの正しいグリップに慣れ、正しいスイングを身に付けることができる。
【００４８】
（他の実施の形態）
（１）  上述の実施の形態においては、グリップ部１１とは別体の連結部材２１を用いてこれに錘部材１２Ａをねじ止めする場合について述べたが、これに限られるものではなく、例えば、グリップ部１１の先端部１１Ａに、当該グリップ部１１の他の部分よりも硬い硬質部を形成し、この部分にねじ２３をねじ込むようにしてもよい。すなわち、連結部材２１を、グリップ部１１と一体に形成するようにしてもよい。この場合、錘部材１２Ａのみによって第２の錘１２が構成されることになる。
【００４９】
（２）  上述の実施の形態においては、錘部材１２Ａと連結部材２１とを別体で構成する場合について述べたが、これに限られるものではなく、錘部材１２Ａと連結部材２１とが一体に形成されていてもよい。すなわち、錘部材１２Ａと連結部材２１との間は、ほぼ弾性が無く剛性が保たれた状態で連続していることが好ましく、錘部材１２Ａと連結部材２１とが別体で連続しているか、一体で連続しているかを限定されるものでない。錘部材１２Ａと連結部材２１との間に所定以上の弾性がある状態でこれらが連続している場合、ゴルフスイングの際の撓みが大きくなり、実際のゴルフクラブをスイングした際のフィーリングから遠のいてしまいやすいが、プレーヤの利き手の人差し指と親指との間に連結部材２１の一部が位置するように把持してグリップ部１１を正しくグリップし、ゴルフスイングすると、グリップ部１１、連結部材２１及び錘部材１２Ａまで全体としても余分な弾性が加わりにくい状態となり、実際のゴルフクラブをスイングした際のフィーリングに近付けることが可能となる。
【００５０】
また、連結部材２１は、グリップ部１１の直径に変化が生じない程度の直径を有している形状とすることにより、グリップ部１１の表面に段差が生じることを回避することができ、グリップ部１１のグリップ感覚に凹凸感が生じることを防止することができる。
【００５１】
（３）  上述の実施の形態においては、グリップ部１１の外周面をテーパ状に形成する場合について述べたが、これに代え又はこれに加えて、錘部材１２Ａの内周面をテーパ状に形成したり、又は、連結部材２１の外周面をテーパ状にしたりするようにしてもよい。また、錘部材１２Ａの内周面及び連結部材２１の外周面をテーパ状にすることもできる。
【００５２】
（４）  上述の実施の形態においては、グリップ部１１の内部空間の径よりも僅かに大きな径でなる錘部材１５Ａを内部空間に圧入する場合について述べたが、これに限られるものではなく、例えば、図８に示すように、グリップ部１１の内部空間の径よりも小さな複数の錘部材４５Ａを内部空間に圧入するようにしてもよい。この場合、複数の錘部材４５Ａによって錘（第１の錘）４５が構成される。なお、連結部材２１と錘部材４５Ａとの間にスポンジ４１等の弾性体を介在させることで、連結部材２１と錘部材４５Ａとの間の接触を安定させることができる。
【００５３】
（５）  上述の実施の形態においては、円筒形状の錘部材１２Ａを用いる場合について述べたが、これに限られるものではなく、円筒形状の錘部材１２Ａに代えて、例えば図９に示すように、有底円筒形状の錘部材５２Ａを用いるようにしてもよい。この錘部材５２Ａは、一方の端部が開口し、他方の端部が閉塞した有底筒状でなり、閉塞部５２Ｂには、ねじ２３を通すための貫通孔５２Ｃが形成されている。錘部材５２Ａは、鋳造又は切削等の方法により製造される。
【００５４】
グリップ部１１の内部に連結部材２１を固定した状態で、錘部材５２Ａの開口部５２Ｄ側からグリップ部１１の先端部１１Ａを挿入し、貫通孔５２Ｃを介してねじ２３をねじ孔２２にねじ込むことにより、錘部材５２Ａをグリップ部１１の先端部１１Ａに固定することができる。この場合においても、グリップ部１１Ａの外周面に両面テープ（図示せず）を貼付し、溶剤を用いることにより錘部材５２Ａを挿入させ易くすることができる。
【００５５】
（６）  上述の実施の形態においては、錘部材１２Ａ、５２Ａの表面処理を行わない場合について述べたが、これに限られるものではなく、表面に樹脂剤をコーティングしたり、又は、樹脂製のキャップを被せたりしてもよい。
【００５６】
（ゴルフ練習具の概要）
本発明の実施の形態におけるゴルフ練習具１０は、内部に第１の錘１５（４５）を有する弾性のあるグリップ部１１と、グリップ部１１の先端に連結された第２の錘１２とを備え、第２の錘１２は、第１の錘１５（４５）よりも重いことを特徴とする。
【００５７】
この構成においては、グリップ部１１の先端部１１Ａに第２の錘１２を設けることによりゴルフ練習具全体の長さを短くし、これにより、比較的狭い場所でもゴルフスイングの練習を行うことができる。また、グリップ部１１に弾性を持たせることにより、スイング時のしなり感をプレーヤに体感させることができ、これにより、実際のゴルフクラブをスイングした際のフィーリングに近づけることができる。さらに、グリップ部１１の先端に設けられる第２の錘１２に加えて、グリップ部１１の内部にも第１の錘１５（４５）を設け、第２の錘１２を第１の錘１５（４５）よりも重くすることにより、グリップ部を握ってスイングした際の感覚を、実際のゴルフクラブに近づけることができる。
【００５８】
また、本実施の形態におけるゴルフ練習具１０は、上記構成において、前記第２の錘１２の長さは、グリップ部１１の長さよりも短いことを特徴とする。
【００５９】
この構成においては、第２の錘１２の長さをグリップ部１１の長さよりも短くすることにより、ゴルフ練習具全体の長さを、実際のゴルフクラブの長さよりも格段に短くすることができる。
【００６０】
また、本実施の形態におけるゴルフ練習具１０は、上記構成において、グリップ部１１には、第２の錘（錘部材１２Ａ、５２Ａ）と連続する剛性部（連結部材２１）が延出されていることを特徴とする。
【００６１】
この構成においては、グリップ部１１に剛性部（連結部材２１）が延出されていることにより、プレーヤに対して、実際のゴルフクラブに近いしなり感を体感させることができ、実際のゴルフクラブをスイングした際のフィーリングに近づけることができる。
【００６２】
また、本実施の形態におけるゴルフ練習具１０は、上記構成において、第１の錘１５（４５）は、グリップ部１１の内径よりも大きな径で構成された複数の球体（錘部材１５Ａ）であり、第１の錘１５（４５）がグリップ部１１の内部に圧入されていることを特徴とする。
【００６３】
この構成においては、第１の錘１５（４５）がグリップ部内に圧入されているため、第１の錘１５（４５）とグリップ部内壁面との間の摩擦により、グリップ部１１に適度なしなり感を持たせることができ、これにより、実際のゴルフクラブをスイングした際のフィーリングに近づけることができる。
【００６４】
また、本実施の形態におけるゴルフ練習具１０は、上記構成において、グリップ部１１は、有底筒形状でなり、第２の錘１２は、グリップ部１１の内部に挿入される柱状の剛性部材（連結部材２１）と、剛性部材（連結部材２１）の先端部２１Ａに被せられる筒状部材（錘部材１２Ａ）と、を有し、剛性部材（連結部材２１）の外周面と、筒状部材（錘１２）の内周面との間にグリップ部１１の側壁部を挟み込むことを特徴とする。
【００６５】
この構成においては、剛性部材（連結部材２１）の外周面と、筒状部材（錘部材１２Ａ、５２Ａ）の内周面との間にグリップ部１１の側壁部を挟み込む構成とすることにより、例えば、グリップ部１１の内周面と剛性部材（連結部材２１）の外周面との間に粘着層（両面テープ３１）を介在させると共に、グリップ部１１の外周面と筒状部材（錘部材１２Ａ、５２Ａ）の内周面との間に粘着層（両面テープ３２）を介在させることにより、グリップ部１１に対して第２の錘１２を強固に固定することが可能となる。
【符号の説明】
【００６６】
１０  ゴルフ練習具
１１  グリップ部
１２、１５、４５  錘
１２Ａ、１５Ａ、５２Ａ  錘部材
１７  止め具
２１  連結部材
２２  ねじ孔
２３  ねじ
【図１】
2012170493.tif 000003
【図２】
2012170493.tif 000004
【図３】
2012170493.tif 000005
【図４】
2012170493.tif 000006
【図５】
2012170493.tif 000007
【図６】
2012170493.tif 000008
【図７】
2012170493.tif 000009
【図８】
2012170493.tif 000010
【図９】
2012170493.tif 000011